(57)【要約】　　　（修正有）【課題】他の電話装置へ無線子機が移動している場合でも、所属電話装置で生じた個別サービスを移動先で知ることができるようにする。【解決手段】各電話装置間を相互に接続する接続回線５を介して他の電話装置１との間で各種情報をやり取りするシステム制御手段１４Ｂを設け、このシステム制御手段１４Ｂで、無線回線を介して接続された無線子機の所属電話装置から、その所属電話装置に蓄積されている当該無線子機に関する個別サービス履歴情報１５Ｃを取得し、その個別サービス履歴情報を無線回線を介して無線子機へ送信する。また、接続回線５に情報蓄積装置を接続し、この情報蓄積装置を介して各電話装置間で個別サービス履歴情報をやり取りする。【選択図】　　　　図２
2004088491.tif 000002
【特許請求の範囲】
【請求項１】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムであって、
前記各電話装置間を接続する接続回線をさらに備え、
前記各電話装置のうち、前記各無線子機のいずれかが所属する所属電話装置は、
自装置に所属する通信不能な無線子機に対する個別サービスが発生した場合、その個別サービスの履歴を当該無線子機の個別サービス履歴情報として蓄積する呼制御手段を有し、
前記各電話装置のうち、前記無線子機が移動した先で無線回線を介して制御を受ける移動先電話装置は、
他の電話装置に所属する前記無線子機が自装置の制御下となった場合に、前記接続回線を介して当該無線子機の所属電話装置から、その所属電話装置に蓄積されている当該無線子機の前記個別サービス履歴情報を取得し、その個別サービス履歴情報を前記無線子機へ送信するシステム制御手段を有することを特徴とする電話システム。
【請求項２】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムであって、
前記各電話装置と接続回線を介して接続されて、前記各電話装置間でやり取りする各種情報を蓄積する情報蓄積装置をさらに備え、
前記各電話装置のうち、前記各無線子機のいずれかが所属する所属電話装置は、
自装置に所属する通信不能な無線子機に対する個別サービスが発生した場合、その個別サービスの履歴を当該無線子機の個別サービス履歴情報として、前記接続回線を介して前記情報蓄積装置へ蓄積する呼制御手段を有し、
前記各電話装置のうち、前記無線子機が移動した先で無線回線を介して制御を受ける移動先電話装置は、
他の電話装置に所属する前記無線子機が自装置の制御下となった場合に、前記接続回線を介して前記情報蓄積装置から当該無線子機の個別サービス履歴情報を取得し、その個別サービス履歴情報を前記無線子機へ送信するシステム制御手段を有することを特徴とする電話システム。
【請求項３】
通信回線を介して通信網と接続される主装置と、この主装置に無線回線を介して制御される１つ以上の無線子機とからなるボタン電話装置を複数備え、前記無線子機は、前記ボタン電話装置のいずれか１つに予め所属するとともに、移動に応じて前記各ボタン電話装置のいずれか１つから無線回線を介して制御を受け、前記各ボタン電話装置は当該ボタン電話装置の制御下にある無線子機に対して各種通信サービスを提供する電話システムで用いられるボタン電話装置であって、
前記主装置に、前記各ボタン電話装置間を相互に接続する接続回線を介して他のボタン電話装置との間で各種情報をやり取りするシステム制御手段を備え、
このシステム制御手段は、前記無線回線を介して当該ボタン電話装置の制御下にある無線子機が所属する所属ボタン電話装置から、その所属ボタン電話装置に蓄積されている当該無線子機に関する個別サービス履歴情報を取得し、その個別サービス履歴情報を前記無線回線を介して前記無線子機へ送信することを特徴とするボタン電話装置。
【請求項４】
請求項３記載のボタン電話装置において、
前記システム制御手段は、前記無線子機が当該ボタン電話装置の制御下となった時点で、当該無線子機の所属ボタン電話装置に対して前記個別サービス履歴情報を要求することにより前記個別サービス履歴情報を取得し、得られた個別サービス履歴情報を前記無線回線を介して前記無線子機へ送信することを特徴とするボタン電話装置。
【請求項５】
請求項３記載のボタン電話装置において、
前記システム制御手段は、前記無線子機からの要求に応じて、当該無線子機の所属ボタン電話装置に対して前記個別サービス履歴情報を要求し、得られた前記個別サービス履歴情報を前記無線子機へ送信することを特徴とするボタン電話装置。
【請求項６】
請求項３記載のボタン電話装置において、
前記システム制御手段は、前記無線子機の所属ボタン電話装置に対して定期的に前記個別サービス履歴情報を要求し、得られた前記個別サービス履歴情報を前記無線子機へ送信することを特徴とするボタン電話装置。
【請求項７】
請求項３記載のボタン電話装置において、
前記システム制御手段は、前記所属ボタン電話装置での前記無線子機に対する個別サービスの発生に応じて前記所属ボタン電話装置から送信された前記個別サービス履歴情報を取得し、得られた前記個別サービス履歴情報を前記無線子機へ送信することを特徴とするボタン電話装置。
【請求項８】
通信回線を介して通信網と接続される主装置と、この主装置に無線回線を介して制御される１つ以上の無線子機とからなるボタン電話装置を複数備え、前記無線子機は、前記ボタン電話装置のいずれか１つに予め所属するとともに、移動に応じて前記各ボタン電話装置のいずれか１つから無線回線を介して制御を受け、前記各ボタン電話装置は当該ボタン電話装置の制御下にある無線子機に対して各種通信サービスを提供する電話システムで用いられるボタン電話装置であって、
前記主装置に、前記各ボタン電話装置と接続回線により接続された情報蓄積装置を介して他のボタン電話装置との間で各種情報をやり取りするシステム制御手段を備え、
このシステム制御手段は、他のボタン電話装置に所属する無線子機が前記無線回線を介して当該ボタン電話装置の制御下となった場合に、前記接続回線を介して前記情報蓄積装置から、前記無線子機が所属する所属ボタン電話装置により前記情報蓄積装置へ蓄積されている当該無線子機に関する個別サービス履歴情報を取得し、その個別サービス履歴情報を前記無線子機へ送信することを特徴とするボタン電話装置。
【請求項９】
請求項８記載のボタン電話装置において、
前記システム制御手段は、前記無線子機が当該ボタン電話装置の制御下となった時点で、前記情報蓄積装置から前記個別サービス履歴情報を取得することを特徴とするボタン電話装置。
【請求項１０】
請求項８記載のボタン電話装置において、
前記システム制御手段は、前記無線子機からの要求に応じて、前記情報蓄積装置から前記個別サービス履歴情報を取得し、得られた前記個別サービス履歴情報を前記無線子機へ送信することを特徴とするボタン電話装置。
【請求項１１】
請求項８記載のボタン電話装置において、
前記システム制御手段は、前記情報蓄積装置から定期的に前記個別サービス履歴情報を取得し、得られた前記個別サービス履歴情報を前記無線子機へ送信することを特徴とするボタン電話装置。
【請求項１２】
請求項８記載のボタン電話装置において、
前記システム制御手段は、前記所属ボタン電話装置での前記無線子機に対する個別サービスの発生に応じて前記所属ボタン電話装置により蓄積された前記個別サービス履歴情報を前記情報蓄積装置から取得し、得られた前記個別サービス履歴情報を前記無線子機へ送信することを特徴とするボタン電話装置。
【請求項１３】
通信回線を介して通信網と接続されるとともに、無線回線を介して１つ以上の無線子機を制御する電話制御装置を複数備え、前記無線子機は、前記電話制御装置のいずれか１つに予め所属するとともに、移動に応じて前記各電話制御装置のいずれか１つに無線回線を介して制御され、前記各電話制御装置は当該電話制御装置の制御下にある無線子機に対して各種通信サービスを提供する電話システムで用いられる電話制御装置のコンピュータで、
当該電話制御装置の制御下にある無線子機が所属する所属電話制御装置から、前記各電話制御装置間を相互に接続する接続回線を介して、その所属電話制御装置に蓄積されている当該無線子機に関する個別サービス履歴情報を取得するステップと、
その個別サービス履歴情報を前記無線回線を介して前記無線子機へ送信するステップとを実行させるためのプログラム。
【請求項１４】
通信回線を介して通信網と接続されるとともに、無線回線を介して１つ以上の無線子機を制御する電話制御装置を複数備え、前記無線子機は、前記電話制御装置のいずれか１つに予め所属するとともに、移動に応じて前記各電話制御装置のいずれか１つに無線回線を介して制御され、前記各電話制御装置は当該電話制御装置の制御下にある無線子機に対して各種通信サービスを提供する電話システムで用いられる電話制御装置のコンピュータで、
他の電話制御装置に所属する無線子機が当該電話制御装置の制御下となった場合に、前記各電話制御装置と接続回線を介して接続された情報蓄積装置から、前記無線子機が所属する所属電話制御装置により前記情報蓄積装置へ蓄積されている当該無線子機に関する個別サービス履歴情報を取得するステップと、
その個別サービス履歴情報を前記無線子機へ送信するステップとを実行させるためのプログラム。
【発明の詳細な説明】
【０００１】
【発明の属する技術分野】
本発明は、電話システム、ボタン電話装置およびプログラムに関し、特に複数の電話装置で共通の無線子機に対して通信サービスを提供する電話システム、ボタン電話装置およびプログラムに関するものである。
【０００２】
【従来の技術】
従来、電話システムとして、無線回線を介して電話装置（ボタン電話装置）に子機として収容している無線子機（無線電話機）を、移動先の他の電話装置でも利用可能とするため、各電話装置との無線通信に必要な認証用のＩＤを無線子機で使い分けることにより、複数の移動先で通信サービスを受けられるようにしたものが提案されている（例えば、特開平８−１９５９７９号公報など参照）。
このシステムで用いられる電話装置では、電話制御装置（主装置）に無線親機を接続することにより、この無線親機から無線回線を介して無線子機を制御するものとなっている。このような接続方式では、無線子機の接続可否を判断するため、認証に用いる固有のＩＤを予め無線親機および無線子機の双方にそれぞれ設定し、そのＩＤを用いて接続可否を判断している。したがって、移動先のＩＤを無線子機に予め登録しておき、これらを使い分けることにより、移動先として複数の無線親機で共通して無線子機と接続できることになる。
【０００３】
無線子機には、その無線子機に個別の着呼、例えば当該無線子機のみを着信先とする、個別着信、電子メール受信あるいはボイスメール受信などの個別サービスが発生する。このような着呼は、通常、当該無線子機が所属する電話装置で発生し、当該無線子機へのみ通知される。
したがって、無線子機が他の移動先、例えば他の電話装置の制御下にある間に、その無線子機への個別サービスが必要となった場合、元の所属電話装置でこれら個別サービスの内容を履歴として蓄積しておき、当該無線子機が所属電話装置へ復帰した際に、蓄積しておいた個別サービスの内容をその無線子機へ通知するものとなっている。
【０００４】
【発明が解決しようとする課題】
しかしながら、このような従来の電話システムでは、複数の電話装置で共通して無線子機が使用できるものの、当該無線子機が移動先の電話装置の制御下にある場合には、その無線子機利用者が元の所属電話装置における個別サービスの発生を知ることができないという問題点があった。
本発明はこのような課題を解決するためのものであり、無線子機が移動して他の電話装置の制御下にある場合でも、所属電話装置で生じた個別サービスをその移動先で知ることができる電話システム、ボタン電話装置およびプログラムを提供することを目的としている。
【０００５】
【課題を解決するための手段】
このような目的を達成するために、本発明にかかる電話システムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムであって、各電話装置間を接続する接続回線をさらに備えるものである。
【０００６】
そして、各電話装置のうち、各無線子機のいずれかが所属する所属電話装置は、自装置に所属する通信不能な無線子機に対する個別サービスが発生した場合、その個別サービスの履歴を当該無線子機の個別サービス履歴情報として蓄積する呼制御手段を有し、各電話装置のうち、無線子機が移動した先で無線回線を介して制御を受ける移動先電話装置は、他の電話装置に所属する無線子機が自装置の制御下となった場合に、接続回線を介して当該無線子機の所属電話装置から、その所属電話装置に蓄積されている当該無線子機の個別サービス履歴情報を取得し、その個別サービス履歴情報を無線子機へ送信するシステム制御手段を有するものである。
【０００７】
また、本発明にかかる他の電話システムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムであって、各電話装置と接続回線を介して接続されて、各電話装置間でやり取りする各種情報を蓄積する情報蓄積装置をさらに備えるものである。
【０００８】
そして、各電話装置のうち、各無線子機のいずれかが所属する所属電話装置は、自装置に所属する通信不能な無線子機に対する個別サービスが発生した場合、その個別サービスの履歴を当該無線子機の個別サービス履歴情報として、接続回線を介して情報蓄積装置へ蓄積する呼制御手段を有し、各電話装置のうち、無線子機が移動した先で無線回線を介して制御を受ける移動先電話装置は、他の電話装置に所属する無線子機が自装置の制御下となった場合に、接続回線を介して情報蓄積装置から当該無線子機の個別サービス履歴情報を取得し、その個別サービス履歴情報を無線子機へ送信するシステム制御手段を有するものである。
【０００９】
また、通信回線を介して通信網と接続される主装置と、この主装置に無線回線を介して制御される１つ以上の無線子機とからなるボタン電話装置を複数備え、無線子機は、ボタン電話装置のいずれか１つに予め所属するとともに、移動に応じて各ボタン電話装置のいずれか１つから無線回線を介して制御を受け、各ボタン電話装置は当該ボタン電話装置の制御下にある無線子機に対して各種通信サービスを提供する電話システムで用いられるボタン電話装置であって、主装置に、各ボタン電話装置間を相互に接続する接続回線を介して他のボタン電話装置との間で各種情報をやり取りするシステム制御手段を備えるものである。
そして、システム制御手段で、無線回線を介して当該ボタン電話装置の制御下にある無線子機が所属する所属ボタン電話装置から、その所属ボタン電話装置に蓄積されている当該無線子機に関する個別サービス履歴情報を取得し、その個別サービス履歴情報を無線回線を介して無線子機へ送信するようにしたものである。
【００１０】
個別サービス履歴情報の取得については、システム制御手段で、無線子機が当該ボタン電話装置の制御下となった時点で、当該無線子機の所属ボタン電話装置に対して個別サービス履歴情報を要求することにより個別サービス履歴情報を取得し、得られた個別サービス履歴情報を無線回線を介して無線子機へ送信するようにしてもよい。
あるいは、システム制御手段で、無線子機からの要求に応じて、当該無線子機の所属電話装置に対して個別サービス履歴情報を要求し、得られた個別サービス履歴情報を無線子機へ送信するようにしてもよい。
【００１１】
また、システム制御手段で、無線子機の所属電話装置に対して定期的に個別サービス履歴情報を要求し、得られた個別サービス履歴情報を無線子機へ送信するようにしてもよい。
あるいは、システム制御手段で、所属電話装置での無線子機に対する個別サービスの発生に応じて所属電話装置から送信された個別サービス履歴情報を取得し、得られた個別サービス履歴情報を無線子機へ送信するようにしてもよい。
【００１２】
また、本発明にかかる電話装置は、通信回線を介して通信網と接続される主装置と、この主装置に無線回線を介して制御される１つ以上の無線子機とからなるボタン電話装置を複数備え、無線子機は、ボタン電話装置のいずれか１つに予め所属するとともに、移動に応じて各ボタン電話装置のいずれか１つから無線回線を介して制御を受け、各ボタン電話装置は当該ボタン電話装置の制御下にある無線子機に対して各種通信サービスを提供する電話システムで用いられるボタン電話装置であって、主装置に、各ボタン電話装置と接続回線により接続された情報蓄積装置を介して他のボタン電話装置との間で各種情報をやり取りするシステム制御手段を備えるものである。
そして、このシステム制御手段で、他のボタン電話装置に所属する無線子機が無線回線を介して当該ボタン電話装置の制御下となった場合に、接続回線を介して情報蓄積装置から、無線子機が所属する所属ボタン電話装置により情報蓄積装置へ蓄積されている当該無線子機に関する個別サービス履歴情報を取得し、その個別サービス履歴情報を無線子機へ送信するようにしたものである。
【００１３】
個別サービス履歴情報の取得については、システム制御手段で、無線子機が当該ボタン電話装置の制御下となった時点で、情報蓄積装置から個別サービス履歴情報を取得するようにしてもよい。
あるいは、システム制御手段で、無線子機からの要求に応じて、情報蓄積装置から個別サービス履歴情報を取得し、得られた個別サービス履歴情報を無線子機へ送信するようにしてもよい。
【００１４】
また、システム制御手段で、情報蓄積装置から定期的に個別サービス履歴情報を取得し、得られた個別サービス履歴情報を無線子機へ送信するようにしてもよい。
あるいは、システム制御手段で、所属電話装置での無線子機に対する個別サービスの発生に応じて所属電話装置により蓄積された個別サービス履歴情報を情報蓄積装置から取得し、得られた個別サービス履歴情報を無線子機へ送信するようにしてもよい。
【００１５】
また、本発明にかかるプログラムは、通信回線を介して通信網と接続されるとともに、無線回線を介して１つ以上の無線子機を制御する電話制御装置を複数備え、無線子機は、電話制御装置のいずれか１つに予め所属するとともに、移動に応じて各電話制御装置のいずれか１つに無線回線を介して制御され、各電話制御装置は当該電話制御装置の制御下にある無線子機に対して各種通信サービスを提供する電話システムで用いられる電話制御装置のコンピュータで、当該電話制御装置の制御下にある無線子機が所属する所属電話制御装置から、各電話制御装置間を相互に接続する接続回線を介して、その所属電話制御装置に蓄積されている当該無線子機に関する個別サービス履歴情報を取得するステップと、その個別サービス履歴情報を無線回線を介して無線子機へ送信するステップとを実行させるためのものである。
【００１６】
また、本発明にかかる他のプログラムは、通信回線を介して通信網と接続されるとともに、無線回線を介して１つ以上の無線子機を制御する電話制御装置を複数備え、無線子機は、電話制御装置のいずれか１つに予め所属するとともに、移動に応じて各電話制御装置のいずれか１つに無線回線を介して制御され、各電話制御装置は当該電話制御装置の制御下にある無線子機に対して各種通信サービスを提供する電話システムで用いられる電話制御装置のコンピュータで、他の電話制御装置に所属する無線子機が当該電話制御装置の制御下となった場合に、各電話制御装置と接続回線を介して接続された情報蓄積装置から、無線子機が所属する所属電話制御装置により情報蓄積装置へ蓄積されている当該無線子機に関する個別サービス履歴情報を取得するステップと、その個別サービス履歴情報を無線子機へ送信するステップとを実行させるためのものである。
【００１７】
【発明の実施の形態】
次に、本発明の実施の形態について図面を参照して説明する。
図１は本発明の第１の実施の形態にかかる電話システムの構成を示すブロック図である。
この電話システムは、複数の電話装置１（１Ａ，１Ｂ，…，１Ｎ）と、これら電話装置１を相互に接続する接続回線５とから構成されている。
各電話装置１（１Ａ，１Ｂ，…，１Ｎ）は、それぞれボタン電話装置からなり、主装置（電話制御装置）１０、無線親機２０および無線子機３０から構成されている。各電話装置１Ａ，１Ｂ，…，１Ｎは、接続回線５を介して相互に接続され、必要に応じて各種情報をやり取りする。
接続回線５は、各電話装置１間でのデータ通信を実現する回線であり、例えばインターネットなどのパケット通信回線のほか、専用回線、電話回線あるいはＩＳＤＮ回線などが用いられる。
【００１８】
主装置１０は、通信回線４を介して通信網４０と接続され、この通信網４０を介して相手先（図示せず）との間で通信を行うことにより、音声通話、電子メール、ボイスメールなどの通信サービスを、無線子機３０の利用者へ提供する装置である。また、主装置１０は、接続回線５を介して他の電話装置の主装置と相互に接続され、必要に応じて各種情報をやり取りする。
無線親機２０は、内線伝送路２を介して主装置１０と接続されるとともに、無線回線３を介して無線子機３０と通信することにより、主装置１０と無線子機３０との間でやり取りされる個別サービス履歴情報などの各種情報を相互に転送する。
【００１９】
無線子機３０は、無線回線３を介して無線親機２０と通信することにより主装置１０に制御され、主装置１０との間で各種情報をやり取りすることにより、上記通信サービスを当該無線子機３０の利用者に提供する。
各無線子機３０は、電話装置１Ａ，１Ｂ，…，１Ｎのいずれかに所属しており、その所属電話装置に固有のＩＤが所属ＩＤとして予め当該無線子機３０に登録されている。また、個別着信、電子メール、ボイスメールなど、その無線子機に対する個別の着呼は、その所属電話装置で受け付けられ、当該無線子機への個別サービスとして処理される。
【００２０】
また、無線子機３０には、各電話装置１Ａ，１Ｂ，…，１Ｎごとに固有のＩＤが予め登録されており、移動先の電話装置に応じた固有のＩＤを用いて当該電話装置の主装置と認証登録処理を行い、その移動先の電話装置で所定の通信サービスを受けることができる。さらに、無線子機３０には、自子機を識別するための固有の子機ＩＤが登録されており、この子機ＩＤより後述の当該無線子機に対応する個別サービス履歴情報が検索される。
なお、無線子機が電話装置と接続されるという記載は、一般的には、無線子機が直接電話装置に接続されることを示すが、本実施の形態では、無線子機が無線親機を介してその電話装置の主装置と接続されてその制御下となることを簡略したものである。
【００２１】
図１では、理解を容易とするため、各電話装置１Ａ，１Ｂ，…，１Ｎとして、無線親機２０および無線子機３０がそれぞれ１つずつ設けられた構成例が示されているがこれに限定されるものではない。
通常、各電話装置（ボタン電話装置）には、無線子機３０だけでなく内線伝送路２を介して無線親機２０と並列的に主装置１０に接続される内線子機（有線子機）が設けられており、また複数の無線子機、さらには複数の無線親機が設けられているものもある。このような構成にも同様にして本発明の各実施の形態を適用でき、同様の作用効果が得られる。
【００２２】
次に、図２を参照して、本実施の形態にかかる電話装置で用いられる主装置について説明する。図２は本実施の形態にかかる電話装置で用いられる主装置の構成を示すブロック図である。
この主装置１０には、回線インターフェース部（以下、回線Ｉ／Ｆ部という）１１、スイッチ１２、親機インターフェース部（以下、親機Ｉ／Ｆ部という）１３、制御部１４、および記憶部１５が設けられている。
【００２３】
回線Ｉ／Ｆ部１１は、通信回線４を介して通信網４０と接続されて、その通信網４０を介して接続された相手先（図示せず）との間の通信を実現するとともに、接続回線５を介して他の電話装置の主装置と接続され、個別サービス履歴情報などの各種情報の転送を、パケット通信などのデータ通信により実現する。
親機Ｉ／Ｆ部１３は、内線伝送路２を介して無線親機２０と接続され、その無線親機２０および無線回線３を介して接続された無線子機３０との間での各種情報の転送を実現する。
スイッチ１２は、回線Ｉ／Ｆ部１１と親機Ｉ／Ｆ部１３との間を中継交換接続することにより、通信回線４および通信網４０を介して接続された相手先と、無線親機２０および無線回線３を介して接続された無線子機３０との間での通信を実現する。
【００２４】
制御部１４は、ＣＰＵなどのマイクロプロセッサとその周辺回路からなり、記憶部１５に予め格納されているプログラムを読み込んで実行することにより、電話装置１全体を制御する。制御部１４には、上記ハードウェアとプログラムとが協働して実現される機能手段として、呼制御手段１４Ａとシステム制御手段１４Ｂとが設けられている。
呼制御手段１４Ａは、上記回線Ｉ／Ｆ部１１、親機Ｉ／Ｆ部１３およびスイッチ１２を制御することにより、無線子機３０に対する着信や無線子機３０からの発信など、一般的な呼制御を行う。システム制御手段１４Ｂは、電話装置間を移動する無線子機３０に関する制御を行う。
【００２５】
記憶部１５は、制御部１４で実行するプログラムのほか、制御部１４での制御に必要な各種情報を記憶する。
各種情報としては、電話システムを構成する各電話装置１に予め割り当てられているＩＤや、そのＩＤごとに接続回線５を介して当該電話装置と通信を行うために必要なアドレスなどの接続先情報を含むシステム管理情報１５Ａが格納される。また、当該電話装置で認証登録された、他の電話装置に所属する無線子機３０に関する情報や、当該電話装置に所属する無線子機３０の移動先電話装置に関する情報などからなる無線子機管理情報１５Ｂが格納される。このほか、移動により無線子機３０との通信ができなくなった場合、当該無線子機３０への個別サービスの履歴として個別サービス履歴情報１５Ｃが格納される。
【００２６】
次に、図３を参照して、本実施の形態にかかる電話装置の動作について説明する。図３は、本実施の形態にかかる電話装置の動作を示すシーケンス図であり、ここでは電話装置１Ａを所属電話装置とする無線子機３０が、電話装置１Ｂへ移動した場合を例として説明する。
電話装置１Ａの制御下にあった無線子機３０が電話装置１Ｂへ移動開始して圏外となった場合（ステップ１００）、電話装置１Ａは、無線子機３０との通信が不能な状態となる。
【００２７】
その後、無線子機３０のみを着信先とする個別着信が通信網４０から通知された場合（ステップ１０１）、電話装置１Ａでは、主装置１０の回線Ｉ／Ｆ部１１でその個別着信を検出し、制御部１４へ通知する。
これに応じて、制御部１４の呼制御手段１４Ａは、親機Ｉ／Ｆ部１３を介して無線親機２０とデータ通信を行うことにより、無線子機３０の個別呼び出しを指示し、無線親機２０から無線子機３０の個別呼び出しが行われる（ステップ１０２）。
【００２８】
ここで、その個別呼び出しに対して無線子機３０から応答がなかった場合、呼制御手段１４Ａは、無線子機３０が自装置の無線通信エリアの圏外へ移動したと判定し（ステップ１０３）、当該個別着信に関する情報を個別サービス履歴情報１５Ｃとして記憶部１５へ蓄積し（ステップ１０４）、その個別着信に対する一連の処理を終了する。
なお、当該個別着信については、呼制御手段１４Ａにおいて、呼び出し先未応答として切断処理や留守番録音サービスを行ってもよく、他の無線子機３０への着信として呼制御してもよい。
【００２９】
個別着信に関する個別サービス履歴情報としては、例えばその個別着信があった着信日時や相手先電話番号などがある。このほか電子メールやボイスメールに関する個別サービス履歴情報としては、そのメールを受信した受信日時や相手先メールアドレスなどがある。
なお、電子メールやボイスメールは、電子データとして取り扱うことができるため、これら電子メールやボイスメールの内容を示す電子データを個別サービス履歴情報として送信するようにしてもよい。
【００３０】
その後、無線子機３０が電話装置１Ｂの無線通信エリアの圏内へ到達した場合、無線子機３０と電話装置１Ｂとの間で認証登録処理が行われ、その認証成功に応じて無線子機３０は電話装置１Ｂの制御下となる（ステップ１１０）。
電話装置１Ｂでは、主装置１０の呼制御手段１４Ａで、上記認証登録処理により当該無線子機３０から受け取った、その無線子機３０に関する情報、ここでは当該無線子機３０を識別するための子機ＩＤや当該無線子機３０の所属電話装置１Ａを示す所属ＩＤを、無線子機管理情報１５Ｂとして記憶部１５へ登録する（ステップ１１１）。
【００３１】
また、システム制御手段１４Ｂでは、上記認証登録に応じて無線子機３０が自装置の制御下となった場合、その無線子機３０の所属ＩＤに基づき記憶部１５のシステム管理情報１５Ａを参照し、当該無線子機３０の所属電話装置である電話装置１Ａに関する接続先情報を取得する。そして、その接続先情報に基づき、その無線子機３０の接続を示す無線子機接続通知を回線Ｉ／Ｆ部１１および接続回線５を介して電話装置１Ａへ送信する（ステップ１１２）。
電話装置１Ａの主装置１０では、制御部１４のシステム制御手段１４Ｂにより、回線Ｉ／Ｆ部１１を介して上記無線子機接続通知を受信し、その無線子機接続通知で通知された子機ＩＤに対応する無線子機の個別サービス履歴情報を記憶部１５から検索する（ステップ１１３）。
【００３２】
そして、未通知の個別サービス履歴情報があれば、その情報を履歴情報通知として、上記無線子機接続通知の送信元すなわち電話装置１Ｂへ、回線Ｉ／Ｆ部１１および接続回線５を介して送信する（ステップ１１４）。
電話装置１Ｂのシステム制御手段１４Ｂは、電話装置１Ａからの履歴情報通知を回線Ｉ／Ｆ部１１を介して受信し、親機Ｉ／Ｆ部１３、内線伝送路２、無線親機２０および無線回線３を介して当該無線子機３０へ送信する（ステップ１１５）。
これにより、無線子機３０でその個別サービス履歴情報が利用者へ表示される。
【００３３】
このように、各電話装置１間を相互に接続する接続回線５を介して他の電話装置１との間で各種情報をやり取りするシステム制御手段１４Ｂを設け、このシステム制御手段１４Ｂで、無線回線３を介して接続されて自装置の制御下となった無線子機３０の所属電話装置１Ａから、その所属電話装置１Ａに蓄積されている当該無線子機３０に関する個別サービス履歴情報１５Ｃを取得し、その個別サービス履歴情報を無線回線３を介して無線子機３０へ送信するようにしたので、従来のように、無線子機が所属電話装置へ復帰しなくても、移動先電話装置で個別サービスの発生を知ることができ、その個別着呼に対して迅速に対応することができる。
【００３４】
本実施の形態では、移動先電話装置での無線子機の認証登録により当該無線子機が移動先電話装置の制御下となった時点で、その無線子機の所属電話装置へ個別サービス履歴情報を要求する場合を例として説明したが、個別サービス履歴情報を要求するタイミングについては、当該無線子機の認証登録以降であればいつでもよい。
例えば、図３のステップ１２０〜１２４に示すように、無線子機３０からの履歴情報要求に応じて（ステップ１２０）、電話装置１Ｂから所属電話装置１Ａへ個別サービス履歴情報を要求するようにしてもよい（ステップ１２１）。これにより、前述のステップ１１３〜１１５と同様のステップ１２２〜１２４により、無線子機３０へ個別サービス履歴情報が転送され、利用者が確認したい任意のタイミングで個別サービス履歴情報を得ることができる。
【００３５】
また、無線子機３０からの履歴情報要求に代えて、電話装置１Ｂで定期的、無線子機３０の認証登録から所定時間経過後、あるいは所定時刻に、電話装置１Ａへ個別サービス履歴情報を要求するようにしてもよい。これにより、利用者の操作を必要とすることなく、最新の個別サービス履歴情報を利用者へ提供できる。
【００３６】
以上では、移動先の電話装置１Ｂから所属電話装置１Ａに対して無線子機３０の個別サービス履歴情報を要求する場合について説明したが、図４に示すように、必要に応じて所属電話装置１Ａから移動先電話装置１Ｂに対して、当該無線子機３０の個別サービス履歴情報を送信するようにしてもよい。
【００３７】
図４において、ステップ１３０〜１３２は、図３のステップ１１０〜１１２と同様である。電話装置１Ａのシステム制御手段１４Ｂでは、電話装置１Ｂからの無線子機接続通知に応じて（ステップ１３２）、その要求元である電話装置１Ｂを無線子機３０の移動先装置として記憶部１５の無線子機管理情報１５Ｂへ登録する（ステップ１３３）。
そして、図３のステップ１１３〜１１５と同様のステップ１３４〜１３６により、無線子機３０へ個別サービス履歴情報を転送する。
【００３８】
その後、電話装置１Ａで無線子機３０に対する個別着信が発生した場合（ステップ１４０）、システム制御手段１４Ｂは、記憶部１５の無線子機管理情報１５Ｂを参照して、当該無線子機３０の移動先装置として電話装置１ＢのＩＤを取得する（ステップ１４１）。そして、そのＩＤに基づきシステム管理情報１５Ａから電話装置１Ｂの接続先情報を取得し、その接続先情報に基づき上記個別着信に関する個別サービス履歴情報を電話装置１Ｂへ通知する（ステップ１４２）。
これにより、無線子機３０は、電話装置１Ｂを介して個別サービス履歴情報を受け取る（ステップ１４３）。
【００３９】
このように、個別サービスの発生に応じて所属電話装置１Ａから移動先電話装置１Ｂに対して、当該無線子機３０の個別サービス履歴情報を送信するようにしたので、ほぼリアルタイムで個別着呼の発生を利用者へ通知できる。
なお、電話装置１Ａでは、個別サービスの発生ではなく、定期的、電話装置１Ｂからの無線子機接続通知から所定時間経過後、あるいは所定時刻に、当該無線子機３０の個別サービス履歴情報を送信するようにしてもよい。これにより、複数の個別サービス履歴情報をまとめて送信でき、電話装置１Ａや接続回線５の負荷を軽減できる。
【００４０】
次に、図５を参照して、本発明の第２の実施の形態にかかる電話システムについて説明する。図５は本発明の第２の実施の形態にかかる電話システムの構成を示すブロック図である。
前述した第１の実施の形態にかかる電話システム（図１参照）と比較して、本実施の形態では、接続回線５に情報蓄積装置６を設けて、各電話装置１（１Ａ，１Ｂ，…，１Ｎ）からの個別サービス履歴情報を情報蓄積装置６で一元的に管理するようにしたものである。
【００４１】
次に、図６を参照して、本実施の形態にかかる電話装置の動作について説明する。図６は、本実施の形態にかかる電話装置の動作を示すシーケンス図であり、ここでは電話装置１Ａを所属電話装置とする無線子機３０が、電話装置１Ｂへ移動した場合を例として説明する。
電話装置１Ａの制御下にあった無線子機３０が電話装置１Ｂへの移動開始して圏外となった場合（ステップ２００）、電話装置１Ａは、無線子機３０との通信が不能な状態となる。
【００４２】
その後、無線子機３０への個別着信が通信網４０から通知された場合（ステップ２０１）、電話装置１Ａでは、主装置１０の回線Ｉ／Ｆ部１１でその個別着信を検出し、制御部１４へ通知する。
これに応じて、制御部１４の呼制御手段１４Ａは、親機Ｉ／Ｆ部１３を介して無線親機２０とデータ通信を行うことにより、無線子機３０の個別呼び出しを指示し、無線親機２０から無線子機３０に対して個別呼び出しが行われる（ステップ２０２）。
【００４３】
ここで、その個別呼び出しに対して無線子機３０から応答がなかった場合、呼制御手段１４Ａは、無線子機３０が自装置の無線通信エリアの圏外へ移動したと判定し（ステップ２０３）、当該個別着信に関する個別サービス履歴情報を、その無線子機３０の子機ＩＤとともに、回線Ｉ／Ｆ部１１および接続回線５を介して情報蓄積装置６へ転送する（ステップ２０４）。
これに応じて、情報蓄積装置６では、無線子機３０の子機ＩＤと対応付けて個別サービス履歴情報が蓄積される。
なお、当該個別着信については、呼制御手段１４Ａにおいて、呼び出し先未応答として切断処理や留守番録音サービスを行ってもよく、他の無線子機３０への着信として呼制御してもよい。
【００４４】
その後、無線子機３０が電話装置１Ｂの無線通信エリアの圏内へ到達した場合、無線子機３０と電話装置１Ｂとの間で認証登録処理が行われ、その認証成功に応じて無線子機３０は電話装置１Ｂの制御下となる（ステップ２１０）。
そして、電話装置１Ｂでは、主装置１０の呼制御手段１４Ａで、上記認証登録処理により当該無線子機３０から受け取った、その無線子機３０に関する情報、ここでは当該無線子機３０を識別するための子機ＩＤを、無線子機管理情報１５Ｂとして記憶部１５へ登録する（ステップ２１１）。
【００４５】
その後、電話装置１Ｂのシステム制御手段１４Ｂでは、回線Ｉ／Ｆ部１１および接続回線５を介して情報蓄積装置６へアクセスし、当該無線子機３０の子機ＩＤに対応する個別サービス履歴情報を取得する（ステップ２１２）。そして、親機Ｉ／Ｆ部１３、内線伝送路２、無線親機２０および無線回線３を介して当該無線子機３０へ送信する（ステップ１１３）。
これにより、無線子機３０でその個別サービス履歴情報が利用者へ表示される。
【００４６】
このように、接続回線５により各電話装置１と接続された情報蓄積装置６を介して他の電話装置１との間で各種情報をやり取りするシステム制御手段１４Ｂを設け、このシステム制御手段１４Ｂで、他の電話装置１に所属する無線子機３０が無線回線３を介して接続されて自装置の制御下となった場合に、接続回線５を介して情報蓄積装置６から、無線子機３０の所属電話装置１Ａにより情報蓄積装置６へ蓄積されている当該無線子機３０に関する個別サービス履歴情報を取得し、その個別サービス履歴情報を無線子機３０へ送信するようにしたので、従来のように、無線子機が所属電話装置へ復帰しなくても、移動先電話装置で個別サービスの発生を知ることができ、その個別着呼に対して迅速に対応することができる。
【００４７】
また、第１の実施の形態と比較して、移動先電話装置１Ｂと所属電話装置１Ａとの間で、直接、データ通信が行われなくなるため、所属電話装置１Ａでの個別サービス履歴情報の転送処理が、移動先電話装置１Ｂの動作とは切り離されて情報蓄積装置６へ転送するだけで済み、移動先電話装置１Ｂからの要求に対する対応処理を軽減できる。さらには、所属電話装置１Ａを識別するための所属ＩＤを扱う必要がなくなるとともに、個別サービス履歴情報の取得先が情報蓄積装置６に固定されるため、移動先電話装置１Ｂでの処理が簡素化される。
【００４８】
本実施の形態では、移動先電話装置１Ｂでの無線子機３０の認証登録により当該無線子機３０が移動先電話装置１Ｂの制御下となった時点で、情報蓄積装置６から個別サービス履歴情報を取得する場合を例として説明したが、個別サービス履歴情報を取得するタイミングについては、当該無線子機３０の認証登録以降であればいつでもよい。
例えば、図６のステップ２２０〜２２２に示すように、無線子機３０からの履歴情報要求に応じて（ステップ２２０）、電話装置１Ｂで情報蓄積装置６から個別サービス履歴情報を取得するようにしてもよい（ステップ２２１）。これにより、無線子機３０へ個別サービス履歴情報が転送され（ステップ２２２）、利用者が確認したい任意のタイミングで個別サービス履歴情報を得ることができる。
【００４９】
また、無線子機３０からの履歴情報要求に代えて、電話装置１Ｂで定期的、無線子機３０の認証登録から所定時間経過後、あるいは所定時刻に、情報蓄積装置６から個別サービス履歴情報を取得するようにしてもよい。これにより、利用者の操作を必要とすることなく、最新の個別サービス履歴情報を利用者へ提供できる。
【００５０】
一方、電話装置１Ａでは、個別サービス履歴情報を情報蓄積装置６へ転送するタイミングとして、当該無線子機３０に対する個別サービスが発生した場合に限定されるものではない。例えば無線子機３０の個別サービス履歴情報を記憶部１５にある程度蓄積しておき、定期的、無線子機３０の圏外判定から所定時間経過後、あるいは所定時刻に、個別サービス履歴情報を情報蓄積装置６へ転送するようにしてもよい。これにより、複数の個別サービス履歴情報をまとめて送信でき、電話装置１Ａや接続回線５の負荷を軽減できる。
また、１つの無線子機３０だけでなく、自装置に所属する無線子機のうち圏外となっている複数の無線子機に関する個別サービス履歴情報を、情報蓄積装置６へまとめて転送するようにしてもよく、処理効率がよくなる。
【００５１】
以上の各実施の形態では、無線子機３０が主装置１０に対し、無線親機２０を介して接続される構成を例として説明したが、これに限定されるものではない。例えば、主装置１０に無線インターフェース部を設け、この無線インターフェース部を介して無線子機３０を主装置１０と接続する構成であっても、本発明の各実施の形態を前述と同様にして適用でき、同様の作用効果が得られる。
また以上では、各電話装置１が専用の主装置１０を有するボタン電話装置からなる場合を例として説明したが、これに限定されるものではない。例えばパケット通信用の回線Ｉ／Ｆ部１１と親機Ｉ／Ｆ部１３を有するコンピュータからなる電話制御装置を、主装置１０の代わりに用いることにより、パケット通信網からなる通信網４０を介して音声通話（ＶｏＩＰ）を行う電話装置１で、上記各実施の形態を実現してもよい。
【００５２】
なお、以上の各実施の形態では、接続回線５については、通信回線４および通信網４０とは独立したものを用いた場合を例として説明したが、この接続回線５として通信回線４および通信網４０を兼用してもよい。また、第２の実施の形態で用いる情報蓄積装置６についても、接続回線５として通信回線４および通信網４０を兼用する場合には、その通信網４０に情報蓄積装置６を接続すればよい。
【００５３】
【発明の効果】
以上説明したように、本発明は、各電話装置間を接続する接続回線を設けるとともに、各電話装置に、その接続回線を介して他の電話装置との間で各種情報をやり取りするシステム制御手段を設け、このシステム制御手段で、他の電話装置に所属する無線子機が無線回線を介して当該電話装置の制御下となった場合に、その無線子機の所属電話装置から、その所属電話装置に蓄積されている当該無線子機に関する個別サービス履歴情報を取得し、その個別サービス履歴情報を無線回線を介して無線子機へ送信するようにしたので、従来のように、無線子機が所属電話装置へ復帰しなくても、移動先電話装置で個別サービスの発生を知ることができ、その個別着呼に対して迅速に対応することができる。
【００５４】
また、接続回線を介して各電話装置と接続されて、各電話装置間でやり取りする各種情報を蓄積する情報蓄積装置とを設けるとともに、各電話装置に、接続回線により各電話装置と接続された情報蓄積装置を介して他の電話装置との間で各種情報をやり取りするシステム制御手段を設け、このシステム制御手段で、他の電話装置に所属する無線子機が無線回線を介して当該電話装置の制御下となった場合に、接続回線を介して情報蓄積装置から、無線子機の所属電話装置により情報蓄積装置へ蓄積されている当該無線子機に関する個別サービス履歴情報を取得し、その個別サービス履歴情報を無線子機へ送信するようにしたので、従来のように、無線子機が所属電話装置へ復帰しなくても、移動先電話装置で個別サービスの発生を知ることができ、その個別着呼に対して迅速に対応することができる。また、所属電話装置での個別サービス履歴情報の転送処理が、移動先電話装置の動作とは切り離されて情報蓄積装置へ転送するだけで済み、移動先電話装置からの要求に対する対応処理を軽減できる。さらには、所属電話装置を識別するための所属ＩＤを扱う必要がなくなるとともに、個別サービス履歴情報の取得先が情報蓄積装置に固定されるため、移動先電話装置での処理が簡素化される。
【図面の簡単な説明】
【図１】本発明の第１の実施の形態にかかる電話システムの構成を示すブロック図である。
【図２】主装置の構成を示すブロック図である。
【図３】本発明の第１の実施の形態にかかる電話システムの動作を示すシーケンス図である。
【図４】本発明の第１の実施の形態にかかる電話システムの他の動作を示すシーケンス図である。
【図５】本発明の第２の実施の形態にかかる電話システムの構成を示すブロック図である。
【図６】本発明の第２の実施の形態にかかる電話システムの他の動作を示すシーケンス図である。
【符号の説明】
１，１Ａ，１Ｂ，〜，１Ｎ…電話装置、２…内線伝送路、３…無線回線、４…通信回線、５…接続回線、６…情報蓄積装置、１０…主装置、１１…回線インターフェース部（回線Ｉ／Ｆ部）、１２…スイッチ、１３…親機インターフェース部（親機Ｉ／Ｆ部）、１４…制御部、１４Ａ…呼制御手段、１４Ｂ…システム制御手段、１５…記憶部、１５Ａ…システム管理情報、１５Ｂ…無線子機管理情報、１５Ｃ…個別サービス履歴情報、２０…無線親機、３０…無線子機、４０…通信網。
【図１】
2004088491.tif 000003
【図２】
2004088491.tif 000004
【図３】
2004088491.tif 000005
【図４】
2004088491.tif 000006
【図５】
2004088491.tif 000007
【図６】
2004088491.tif 000008